(57)【要約】【課題】互いに寄せ付けられる一方の構造材に対して施工側からボルト受け金物を備え付け、当該施工側で他方の構造材に取り付けられる引き寄せボルトを該ボルト受け金物に螺入しうるようにする。【解決手段】軸部１１と該軸部１１の一端側に鍔状頭部１２を備えるボルト受け金物１０であって、このボルト受け金物１０が、前記鍔状頭部１２から該鍔状頭部１２の備えられていない軸部１１端に貫通する雌ねじ孔１３を備えており、少なくとも前記軸部１１を第一の構造材５０’に設けられる孔５０ａに差し入れて、木ねじ６０で前記鍔状頭部１２をもって該構造材５０に止着させると共に、第二の構造材５０”に取り付け用意される引き寄せボルト３０を前記雌ねじ孔１３に螺入し得るようにしてある。【選択図】図５
2009035954.tif 000002
【特許請求の範囲】
【請求項１】
軸部と該軸部の一端側に鍔状頭部を備えるボルト受け金物であって、
このボルト受け金物が、前記鍔状頭部から該鍔状頭部の備えられていない軸部端に貫通する雌ねじ孔を備えており、
少なくとも前記軸部を第一の構造材に設けられる孔に差し入れて、木ねじで前記鍔状頭部をもって該構造材に止着させると共に、第二の構造材に取り付け用意される引き寄せボルトを前記雌ねじ孔に螺入し得るようにしてあることを特徴とするボルト受け金物。
【請求項２】
前記第一の構造材に対して直交する向きに前記第二の構造材を接合してあり、この第二の構造材に取り付け用意される引き寄せボルトの螺入されるボルト受け金物を前記第一の構造材に備え付けるようにしてあることを特徴とする請求項１に記載のボルト受け金物。
【請求項３】
前記引き寄せボルトが、前記第二の構造材に止着される羽子板金物に回転自在に備えられていることを特徴とする請求項１又は請求項２に記載のボルト受け金物。
【請求項４】
前記引き寄せボルトが、前記第二の構造材に止着されるホールダウン金物に回転自在に備えられていることを特徴とする請求項１又は請求項２に記載のボルト受け金物。
【発明の詳細な説明】
【技術分野】
【０００１】
この発明は、構造材の引き寄せを一つの施工側のみで、容易かつ確実に行うことのできるボルト受け金物の提供に関し、例えば、リフォームに際して新たに各種構造材を追加したり、構造材相互の仕口補強をしたり、また、新築に際して、施工途中で、各種構造材を追加したり、仕口補強をしたり、アンカーボルトからずれた位置に柱を接合する場合等に効果的に対応し得るボルト受け金物の提供に関する。
【背景技術】
【０００２】
建物の老朽化、耐震強度を増す目的、建物の構築後に使い勝手の変更、使用居住空間の変更等に伴う増改築、経年使用に伴うリフォーム等に際して、新たな構造材の補足、補強構造材の増設、各構造材の仕口補強等が必要とされることがある。
【０００３】
このような建物の増改築や、耐震補強工事等にあっては、典型的には、増設や耐震補強される構造材を既設の構造材に引き寄せ接合するために、新設される当該増設構造材や耐震補強構造材に羽子板ボルト備え付けるように、既設の梁の背面側に突き出される当該羽子板ボルトにナットを締め付けるようにして、両者の引き寄せをなす必要があった。
【０００４】
また、このような建物の増改築や、耐震補強工事等において、新たに柱を増設する場合や新たに柱の耐震補強をする場合、当該柱における柱頭、柱脚部分を横向きの構造材に引き寄せ組み付けるようにして、地震等に際して、当該横向きの構造材からの柱の浮き上がりや、柱上にある梁等の当該柱からの浮き上がり等を防ぐために、ホールダウン金物等を当該柱に備え付けて、既設のアンカーボルトを活用して引き寄せ、あるいは、当該柱の接合される構造材における接合反対側で引き寄せ施行等をなす必要とあった。
【０００５】
かかる点から、例えば、基礎に備えられているアンカーボルトと、柱に備えられているホールダウン金物におけるボルト挿通孔とが同一の垂直線上に位置づけられていないような場合、この土台から突き出されているアンカーボルトを柱に備えられているホールダウン金物に連結する手段として特許文献１に示される接合金物が開示されている。
【０００６】
また、かかる不都合を解決するために特願２００６−２６１４８のボルト受け金物及び構造材の引き寄せ方法が提案されている。
【特許文献１】特開平１１−３５０６０９
【発明の開示】
【発明が解決しようとする課題】
【０００７】
しかしながら、特許文献１に示される接合金物は、基礎に備えられ、かつ、土台を貫通して上方に突き出されたアンカーボルトの取扱いに関するものであって、設置されている土台に対して新たに設置される柱を引き寄せ状態に組み付ける手段や設置されている柱の耐震補強手段として用い得るものではなかった。
【０００８】
また、新規に備えられる柱の柱頭や耐震補強される柱の柱頭にあって、この柱頭を当該柱に直交して備えられている梁等に対して引き寄せ状態に組み付けるには、当該柱に直交している梁等の構造材の上方に張り込まれている床材等を取り外して施工する必要があった。
【０００９】
また、新規に梁等の横向きの構造材を当該構造材に直交する向きにある梁等の横向きの構造材に引き寄せ状態で組み付ける場合や、直交して横向きに備えられている各構造材相互の耐震補強施工等に際して、既設梁等における接合側と反対側に備えられている各種造作材や、張り込まれている壁面材等を取り外して施工する必要があった。
【００１０】
かかる従前手法にあっては、増改築や、耐震補強施工等において新規に柱や、新規に梁を容易かつ確実に組み付け設置したり、新規に耐震補強施工をなすことが難しく、新規に柱や梁等を備え付ける増改築や耐震補強施工に際して、多くの材と、多くの施工手間と、多くの施工期間とを要し、割高な施工コストとなる不具合があった。
【００１１】
かかる不都合を解消するために提案された特願２００６−２６１４８に記載のボルト受け金物及び構造材の引き寄せ方法では、かかる従前における増改築や耐震補強施工時における柱や梁等の新規設置や新規耐震補強に際して、当該柱や梁等の構造材の引き寄せを柱や梁等の新設側あるいは新規耐震補強側においてなし得るようにして、柱や梁等の新設側や耐震補強の新規施工側と反対の側にある建物部分の取り壊しや、取り外し等を要請されることの不具合を解消し、また、各種用途に対応して設置されるボルトのねじ入れ対象金物を施工側にある材に対して都合良く設置することができる。
【００１２】
この特願２００６−２６１４８に記載のボルト受け金物及び構造材の引き寄せ方法は、コーチねじ状のボルト受け金物を構造材にねじ入れ状態に備え付けるものであった。
【課題を解決するための手段】
【００１３】
かかる課題を解決するために、この発明は、軸部と該軸部の一端側に鍔状頭部を備えるボルト受け金物であって、
このボルト受け金物が、前記鍔状頭部から該鍔状頭部の備えられていない軸部端に貫通する雌ねじ孔を備えており、
少なくとも前記軸部を第一の構造材に設けられる孔に差し入れて、木ねじで前記鍔状頭部をもって該構造材に止着させると共に、第二の構造材に取り付け用意される引き寄せボルトを前記雌ねじ孔に螺入し得るようにしてあることを特徴とするボルト受け金物としてある。
【００１４】
このように構成されるボルト受け金物は、構成が簡素であり、初期強度を備えたものとして容易に構成準備することができると共に、引き寄せ対象とされる構造材に対して施工側から無理なく、容易かつ確実に備え付けることができる。また、この備え付けボルト受け金物に対して引き寄せ対象とされる構造材に取り付け用意される引き寄せボルトをねじ入れることによって、例えば、各種構造材相互の連結や、引き寄せ接合等に用いることができる。
【００１５】
例えば、一部完工後における柱や梁等の増設や耐震補強、増改築や耐震補強施工時における柱や梁等の新規設置や新規耐震補強等に際して直交する向きにある一対の構造材相互を引き寄せ状態に接合する場合、当該ボルト受け金物を柱や梁等の新設側あるいは耐震補強側から構造材の一方側に備え付けると共に他方側の構造材に備え付けられた引き寄せ金物のボルトを当該ボルト受け金物にねじ入れて構造材の引き寄せを、既設の周囲の壁材等を損なうこと無く、容易かつ確実になすことができる。
【００１６】
また、前記構成に係るボルト受け金物にあって、前記第一の構造材に対して直交する向きに前記第二の構造材を接合してあり、この第二の構造材に取り付け用意される引き寄せボルトの螺入されるボルト受け金物を前記第一の構造材に備え付けるようにしてあることを特徴とするボルト受け金物にあっては、直交する向きに接合されている第一の構造材と第二の構造材とを、随時、必要に応じて引き寄せ、補強することができる。
【００１７】
また、前記構成に係るボルト受け金物にあって、前記引き寄せボルトが、前記第二の構造材に止着される羽子板金物に回転自在に備えられていることを特徴とするボルト受け金物にあっては、羽子板金物と、この羽子板金物に回転自在に備えられる引き寄せボルトとを相互に関連づけて第一の構造材及び第二の構造材に設けることで、随時、必要に応じて両者の引き寄せをなすことができる。
【００１８】
また、前記構成に係るボルト受け金物にあって、前記引き寄せボルトが、前記第二の構造材に止着されるホールダウン金物に回転自在に備えられていることを特徴とするボルト受け金物にあっては、ホールダウン金物と、このホールダウン金物に回転自在に備えられる引き寄せボルトとを相互に関連づけて第一の構造材と第二の構造材に設けることで、随時、必要に応じて両者の引き寄せをなすことができる。
【発明の効果】
【００１９】
この発明に係るボルト受け金物は、引き寄せ対象とされる構造材に対して、当該ボルト受け金物を施工側から備え付け得ると共に他の構造材に取り付け用意される引き寄せボルトを当該ボルト受け金物に対して都合よくねじ入れ用い得る利点を有している。また、当該ボルト受け金物による引き寄せ方法では、互いに直交する向きにある構造材の引き寄せを新設や補強される柱や梁等の側でなすことができ、柱や梁等の新設や補強を当該新設や補強側と反対側にある建物部分を取り壊すことなく、確実に、しかも、容易になし得る利点を有している。
【発明を実施するための最良の形態】
【００２０】
以下、この発明を実施するための最良の形態に係るボルト受け金物及び当該ボルト受け金物を用いた構造材の引き寄せ方法について説明する。
【００２１】
図１〜図１０は、この発明を実施するための最良の形態に係るボルト受け金物１０及び当該ボルト受け金物１０を用いた構造材５０の引き寄せ例を示すものであって、図１及び図２は、この発明を実施するための典型的なボルト受け金物１０を示しており、図１では、これを斜め上方から、図２では、一部を破断して正面から見て示している。図３及び図４は、当該ボルト受け金物１０の典型的な取付例を示しており、図３では、鍔状頭部１２を構造材の面に押し当てて取り付けた状態で、図４では、この鍔状頭部１２を構造材５０に座堀した凹部５０ｂに納め入れて取り付けた状態を、それぞれ断面して側方から見て示している。図５〜図７は、当該ボルト受け金物１０を用いて梁等の構造材５０を羽子板金物２０及び引き寄せボルト３０を用いて引き寄せている状態を、図５では、その要部を斜め上方から、図６では、一部を断面して側方から、図７では、一部を断面して上方から見て示している。図８は、当該ボルト受け金物１０の他の取付例を、その要部を断面して側方から見て、図９及び図１０は、当該ボルト受け金物１０を用いて横向きの構造材５０に縦向きの構造材５０である柱をホールダウン金物４０及び引き寄せボルト３０で引き寄せている状態を示しており、図９では、その要部を斜め上方から、図１０では、要部を断面して側方から見て示している。
【００２２】
この図示例に係る典型的なボルト受け金物１０は、軸部１１と該軸部１１の一端側に鍔状頭部１２を備えるボルト受け金物１０であって、このボルト受け金物１０が、前記鍔状頭部１２から該鍔状頭部１２の備えられていない軸部１１端に貫通する雌ねじ孔１３を備えており、少なくとも前記軸部１１を第一の構造材５０’に設けられる孔５０ａに差し入れて、木ねじ６０で前記鍔状頭部１２をもって該構造材５０に止着させると共に、第二の構造材５０”に取り付け用意される引き寄せボルト３０を前記雌ねじ孔１３に螺入し得るようにしてある。
なお、説明の便宜上、互いに引き寄せ合わされる一対の構造材５０、５０の一方を第一の構造材５０’とし、他方の構造材５０を第二の構造材５０”として説明する。
【００２３】
このように構成されるボルト受け金物１０は、構成が簡素であり、初期強度を備えたものとして容易に構成準備することができると共に、適用対象とされる構造材に施工側から無理なく、容易かつ確実に備え付けることができる。また、この備え付けたボルト受け金物１０に対して各構造材を引き寄せる引き寄せボルト３０をねじ入れることによって、例えば、各種構造材相互の連結や、引き寄せ接合等に用いることができる。例えば、一部完工後における柱や梁等の増設や耐震補強、増改築や耐震補強施工時における柱や梁等の新規設置や新規耐震補強等に際して直交する向きにある一対の構造材相互を引き寄せ状態に接合する場合、当該ボルト受け金物１０を柱や梁等の新設側あるいは耐震補強側から構造材５０の一方側に備え付けると共に他方側の構造材５０に備え付けられた引き寄せボルト３０を当該ボルト受け金物１０にねじ入れて構造材の引き寄せを、既設の周囲の壁材等を損なうこと無く、容易かつ確実になすことができる。
【００２４】
より具体的には、リフォームに際して、新たに床や壁、梁を追加したり、耐震補強のために梁仕口を補強するにあたって、外壁を損なうことなく、すなわち、外壁の部分的な取り壊し、防水処理、補修処理、化粧処理を伴わずに、これらの、新たな床や壁の設置、梁を追加、耐震補強のために梁仕口の補強をなすことができる。
【００２５】
また、ホールダウン金物４０を柱頭、柱脚に取り付けて耐震補強をする際に、上下階にまたがる作業を回避し、床や天井を剥がす作業手間、及び、これらの修復手間を伴わずに柱頭、柱脚における耐震補強をなすことができる。
【００２６】
また、新築時において、外壁等の施工後に、引き寄せの不具合が判明した場合や、設計仕様と異なった態様での耐震補強を施したり、あるいは、設計仕様以上の耐震補強を施す場合や、設計に無い構造材を組み入れる場合等に際して、施工済みの壁等を損なうこと無く、容易、かつ、円滑に、各補強施工や構造材の付け足し等をなすことができる。
【００２７】
また、設計位置以外の土台位置に柱を設ける必要の生じた場合や、設置すべき柱の引き寄せに都合のよい位置にアンカーボルトが存在していない場合等に際して、柱を土台に対して、容易かつ確実に、ホールダウン金物４０を用いて引き寄せ状態に設置することができる。
【００２８】
なお、前記ボルト受け金物１０は、軸部１１と該軸部１１の一端側に鍔状頭部１２を備えるボルト受け金物１０であって、互いに引き寄せられる一対の構造材５０、５０の第一の構造材５０’に木ねじ６０で止着されると共に、その雌ねじ孔１３に第二の構造材５０”に取り付け用意される引き寄せボルト３０を螺入して、構造材５０、５０を引き寄せた際に、当該引き寄せを可能とする強度を備えるものであれば、いかなる素材によって構成してあっても、また、前記機能を奏しうる限り、いかなる形態に構成してあってもよい。
【００２９】
また、前記構成に係るボルト受け金物１０にあって、前記第一の構造材５０’に対して直交する向きに前記第二の構造材５０”を接合してあり、この第二の構造材５０”に取り付け用意される引き寄せボルト３０の螺入されるボルト受け金物１０を前記第一の構造材５０’に備え付けるようにしてあるボルト受け金物１０にあっては、直交する向きに接合されている第一の構造材５０’と第二の構造材５０”とを、随時、必要に応じて引き寄せ、補強することができる。
【００３０】
また、前記構成に係るボルト受け金物１０にあって、前記引き寄せボルト３０が、前記第二の構造材５０”に止着される羽子板金物２０に回転自在に備えられているボルト受け金物１０にあっては、羽子板金物２０と、この羽子板金物２０に回転自在に備えられる引き寄せボルト３０とを相互に関連づけて第一の構造材５０’及び第二の構造材５０”に設けることで、随時、必要に応じて両者の引き寄せをなすことができる。
【００３１】
また、前記構成に係るボルト受け金物１０にあって、前記引き寄せボルト３０が、前記第二の構造材５０”に止着されるホールダウン金物４０に回転自在に備えられているボルト受け金物１０にあっては、ホールダウン金物４０と、このホールダウン金物４０に回転自在に備えられる引き寄せボルト３０とを相互に関連づけて第一の構造材５０’と第二の構造材５０”に設けることで、随時、必要に応じて両者の引き寄せをなすことができる。
【００３２】
ついで、図１及び図２に示される典型的なボルト受け金物１０について具体的に説明する。
【００３３】
この図示例に係るボルト受け金物１０は、軸部１１と該軸部１１の一端側に鍔状頭部１２を備えており、前記鍔状頭部１２から該鍔状頭部１２の備えられていない軸部１１端に貫通する雌ねじ孔１３を備え、少なくとも前記軸部１１を第一の構造材５０’に設けられる孔５０ａに差し入れて、木ねじ６０で前記鍔状頭部１２において該構造材５０に止着させると共に、第二の構造材５０”に取り付け用意される引き寄せボルト３０を前記雌ねじ孔１３に螺入し得るようにしてある。
【００３４】
この図示例に係るボルト受け金物１０は、鍔状頭部１２と軸部１１とが一体のものとして構成してあれば、これを棒材等から挽き物として構成してあっても、溶接等の手段で一体に構成してあってもよい。
【００３５】
また、鍔状頭部１２は、この鍔状頭部１２を木ねじ６０で第一の構造材５０’に止着した状態で、雌ねじ孔１３に螺入した引き寄せボルト３０に所定の引き寄せ荷重を加えた際に変形したり、木ねじ６０から抜け出さない強度と構成とを備えたものとしてあり、軸部１１は、当該第一の構造材５０’に止着したボルト受け金物１０の雌ねじ孔１３に螺入した引き寄せボルト３０に所定の引き寄せ荷重、すなわち、所定の引っ張り荷重をかけた際に変形したり、当該引き寄せボルト３０が抜け出したりしない強度と構成を備えたものとしてある。
【００３６】
この図示例にあっては、軸部１１の一端側に外鍔状に、すなわち、外方に向けて張り出すように所定厚の環円盤状の鍔状頭部１２が設けてあり、この鍔状頭部１２から当該鍔状頭部１２の備えられていない軸部１１端に貫通するように雌ねじ孔１３が設けてあり、この雌ねじ孔１３によって、当該軸部１１が内ねじを備える円筒状体とされ、かつ、鍔状頭部１２が環円盤状体とされている。
【００３７】
かかる環円盤状体をなす鍔状頭部１２における円周方向に向けて複数個の木ねじ孔１４を、当該鍔状頭部１２の厚さ方向に貫通する態様に設けてある。
【００３８】
かかる鍔状頭部１２の外周に沿って当該鍔状頭部１２を巡るように所定間隔毎に備えられる木ねじ孔１４は、引き寄せボルト３０による各構造材５０の引き寄せに際して、当該ボルト受け金物１０が第一の構造材５０’から抜け落ちないように、木ねじ６０による止めつけに都合のよい木ねじ６０の挿通孔径と個数とを備えたものとしてある。
【００３９】
この図示例にあっては、下側に木ねじ６０の軸部の挿通される細径孔部１４ｂを、この細径孔部１４ｂに連通して当該木ねじ６０の頭部の納まる太径孔部１４ａを上側に備える腰掛け付きの木ねじ孔１４を所定間隔を離して環状をなすように複数個、当該鍔状頭部１２の上下を貫通するように設けてある。
【００４０】
かかるボルト受け金物１０は、例えば、２５ｍｍの長さで、直径が１５ｍｍの軸部１１の一端側に、直径４５ｍｍで、厚さが５ｍｍの鍔状頭部１２を一体に備えた鋼製としてあり、この鍔状頭部１２の中央から当該鍔状頭部１２の備えられていない軸部１１端に向けてＭ１２ボルトを螺進退させる雌ねじ孔１３を設けてあり、また、鍔状頭部１２には、ほぼ７５ｍｍ長さで、頭部径が８．４ｍｍの木ねじ６０の当該頭部の腰掛け段部を備える木ねじ孔１４を等間隔で６個設けた構成としてある。より、具体的には、直径４５ｍｍ、厚さ５ｍｍの鋼製の丸座金の中央に設けた直径１５ｍｍの孔に、Ｍ１２ボルトの螺進退される雌ねじ孔１３を軸線の向きにねじ切った直径１５ｍｍの丸鋼を差し入れて溶接し、この丸鋼の溶接部の外側にある鍔状頭部１２に、細径孔１４ｂと太径孔１４ａ間にある段部に頭部を引っ掛けうる腰掛け付きの木ねじ挿通孔１４を穿設して構成してある。
【００４１】
このように用意されたボルト受け金物１０は、例えば、図３、図４及び図８のように第一の構造材５０’に備えられて、第二の構造材５０”に備えられる引き寄せボルト３０を受け入れて、構造材５０、５０の引き寄せに用いられる。
【００４２】
かかるボルト受け金物１０は、例えば、図５〜図７に示されるように梁受け金物等の接合金物８０に阻害されない場所において用いられる場合、図３に示されるように軸部１１のみを構造材５０に差し入れて鍔状頭部１２を当該構造材５０の面上に露出させて用いることができる。また、図５〜図７に示されるように梁受け金物等の接合金物８０による接合位置において用いる場合、この鍔状頭部１２を構造材５０内に納め入れるようにして備え付け用いる。
【００４３】
図３に示されるボルト受け金物１０は、その鍔状頭部１２を第一の構造材５０’の面に密着するように軸部１１を当該第一の構造材５０’に設けた孔５０ａに密に差し入れ、鍔状頭部１２の下面を当該構造材５０面に押しつけるように各木ねじ孔１４から木ねじ６０をねじ入れて当該第一の構造材５０’に止着する。
【００４４】
このように第一の構造材５０’に止着されるボルト受け金物１０は、第二の構造材５０”に取り付け用意される引き寄せボルト３０の螺入による当該第一の構造材５０’と第二の構造材５０”との引き寄せに際して、当該第一の構造材５０’から脱落されることのない強度を備えて止着されるようにしてあり、この図示例にあっては、６本の、ほぼ７５ｍｍ長さの木ねじ６０で、その鍔状頭部１２をもって当該第一の構造材５０’に止着してある。
【００４５】
また、図４に示されるボルト受け金物１０は、当該ボルト受け金物１０における鍔状頭部１２が構造材５０の表面から露出されないように当該第一の構造材５０’に止着した状態を示したものであって、このボルト受け金物１０を、例えば、梁受け金物等の接合金物８０や、角座金等の補強プレート１５と併せて用いる際に、当該ボルト受け金物１０における鍔状頭部１２が、これらの接合金物８０や補強プレート１５の取り付けの妨げにならないようにしたものであり、鍔状頭部１２を構造材５０に座彫りした凹部５０ｂ内に納めるようにした点以外は、前記図３に示されるボルト受け金物１０の取り付けと同様にして当該構造材５０に止着される。
【００４６】
かかるボルト受け金物１０は、このボルト受け金物１０に螺入されて構造材５０、５０相互の引き寄せをなす引き寄せボルト３０の取り付け位置に対応する第一の構造材５０’部分に備えられるものであって、このボルト受け金物１０の軸部１１の直径か、これより、やや太い径のドリルを用いて、ほぼ、５０ｍｍ深さの先行孔５０ａを穿設し、この先行孔５０ａにボルト受け金物１０の軸部１１を差し入れて、鍔状頭部１２に設けられている腰掛け付きの各木ねじ孔１４から、それぞれ木ねじ６０を当該第一の構造材５０’にねじ入れ、止着する。
【００４７】
また、ボルト受け金物１０上に補強プレート１５を設置したり、接合金物８０等を設ける必要のある場合には、当該第一の構造材５０’に対して、ボルト受け金物１０の軸部１１の直径か、これより、やや太い直径のドリルを用いて、ほぼ、６０ｍｍの先行孔５０ａを設け、さらに、当該先行孔５０ａを中心にして、ほぼ、７ｍｍ深さに座彫りをして鍔状頭部１２の納まる凹部５０ｂを設け、先行孔５０ａにボルト受け金物１０の軸部１１を差し入れるようにして、当該ボルト受け金物１０の鍔状頭部１２を当該凹部５０ｂ内に納め入れた状態で、この鍔状頭部１２に設けてある腰掛け付きの各木ねじ孔１４から、それぞれ、木ねじ６０を第一の構造材５０’にねじ入れ、止着する。
【００４８】
このように第一の構造材５０’の止着用意されるボルト受け金物１０の典型的な使用態様を、羽子板金物２０及びホールダウン金物４０に備えられる引き寄せボルト３０の引き寄せ手段として用いた図示例について説明する。
【００４９】
図５〜図７は、当該ボルト受け金物１０を用いて各構造材５０、この図示例にあっては、ほぼ直交する向きにある横向きの構造材５０、例えば、梁材相互の引き寄せ状態を示している。
【００５０】
まず、接合、引き寄せられる各構造材５０の一方、すなわち、第一の構造材５０’に、これに対応する構造材５０、すなわち、第二の構造材５０”に取り付け用意される引き寄せボルト３０の螺進退可能に螺入される位置に、前記図４に示される手法でボルト受け金物１０を止着用意する。
【００５１】
ついで、このボルト受け金物１０の備えられた第一の構造材５０’を第二の構造材５０”に、通例の手法、例えば、木ねじ６１で止着される梁受け金物等の接合金物等で接合する。
【００５２】
なお、この梁受け金物等の接合金物８０を用いる場合にあっては、当該接合金物８０に前記ボルト受け金物１０の雌ねじ孔１３に連通する孔８１を設けておく。かかる接合金物８０に備えられる孔８１は、雌ねじ孔１３に対して螺入される引き寄せボルト３０の挿通の自由度を高める点から、やや大きめの孔、やや長めの孔等としておくことが望ましい。
【００５３】
ついで、前記ボルト受け金物１０の雌ねじ孔１３に引き寄せボルト３０を螺入して、第一の構造材５０’と第二の構造材５０”とを引き寄せうる位置の当該第二の構造材５０”に対して引き寄せボルト３０を取り付け用意する。この引き寄せボルト３０の取り付け用意と前記ボルト受け金物１０の備え付けは、構造材５０相互の引き寄せの関係で、構造材５０に対して、いずれを、先に設けるようにしてあってもよい。
【００５４】
この図示例にあっては、一連に連続して備えられる取り付け板部２１及びボルト受け部２２からなる鋼板製の羽子板金物２０を用意し、このボルト受け部２２のボルト挿通孔２３に挿通される引き寄せボルト３０が前記雌ねじ孔１３に差し込みうるように当該取り付け板部２１を第二の構造材５０”の側面に添わせた状態で、この取り付け板部２１に設けられている複数の孔から木ねじ６２を当該第二の構造材５０”にねじ入れて止着するようにしてある。
【００５５】
なお、この羽子板金物２０は、例えば、鋼板の一側部側の両側部を互いに向き合うように折り曲げ、その折り曲げ上部側を半弧状に湾曲させると共に、各湾曲端を溶接することで、取り付け板部２１と、長細い引き寄せボルト３０のボルト挿通孔２３を備えるボルト受け部２２とを構成したもの等を用いることができる。
【００５６】
また、この羽子板金物２０は、この羽子板金物２０に回転自在に挿通用意される引き寄せボルト３０を前記ボルト受け金物１０の雌ねじ孔１３に螺入することで、構造材５０、５０を引き寄せた際に、第二の構造材５０”から脱落することの無い状態に木ねじ６２〜６２で、確実に当該第二の構造材５０”に止着してある。
【００５７】
かかる羽子板金物２０のボルト挿通孔２３に挿通される引き寄せボルト３０は、この引き寄せボルト３０によって各構造材５０、５０相互を引き寄せた際に、この引き寄せボルト３０が破損することの無い強度を備えたものが用いられる。
【００５８】
かかる引き寄せボルト３０は、例えば、頭部３１と軸部３２とを備えるＭ１２ボルトを用いることができる。
【００５９】
このようにボルト受け金物１０を用いてなされる構造材５０、５０相互の引き寄せは、引き寄せようとする各構造材５０、５０の引き寄せ接合部分のみで処理することができ、各構造材５０、５０に隣あって備えられるボルト受け金物１０及び羽子板金物２０の備え付け部分以外の部分の、例えば、壁材等を何等損なうこと無く、構造材５０、５０相互の引き寄せをなすことができる。
【００６０】
かかる構造材５０、５０相互の引き寄せは、ボルト受け金物１０と羽子板金物２０及び引き寄せボルト３０の複数組を用いて第一の構造材５０’と第二の構造材５０”とを引き寄せるようにしてあっても、また、この図示例において、第二の構造材５０”の両側に羽子板金物２０及び引き寄せボルト３０を配置し、これに対応するように第一の構造材５０’に二組のボルト受け金物１０を設けて、当該各構造材５０、５０を引き寄せるようにしてあってもよい。
【００６１】
ついで、図８〜図１０に示され各構造材５０、５０相互の接合、引き寄せの構成について説明する。
【００６２】
この図示例は、横向きの構造材５０に、縦向きの構造材５０を引き寄せる態様を示しており、その典型例として、基礎７０にアンカーボルト７１で止着されている構造材５０としての土台を第一の構造材５０’とし、この第一の構造材５０’としての土台上に起立状態に接合した構造材５０としての柱を第二の構造材５０”として、両者をボルト受け金物１０とホールダウン金物４０及び当該ホールダウン金物４０に回転自在に挿通されている引き寄せボルト３０で引き寄せるようにしたものである。
【００６３】
この土台をなす第一の構造材に備えられるボルト受け金物１０は、前記図１及び図２で示されたボルト受け金物１０であり、柱をなす構造材５０の側方位置で、土台をなす構造材５０の上面側に、前記図４の状態で木ねじ６０で止着されている。
【００６４】
すなわち、ボルト受け金物１０における鍔状頭部１２が凹部５０ｂ内に納め入れられた状態で当該ボルト受け金物１０が第一の構造材５０’に木ねじ６０で止着してあり、さらに、この凹部５０ｂ上を覆う補強プレート１５によって当該ボルト受け金物１０の抜け出し強度が補強してある。
【００６５】
かかる補強プレート１５は、厚さ５ｍｍの７０ｍｍ角の正方形状をなし、中央部に引き寄せボルト３０の挿通孔１５ａを備えていると共に四隅に木ねじ６３の挿通孔を備えており、構造材５０に止着された前記ボルト受け金物１０の上方を覆うように当該構造材５０に対して木ねじ６３で強固に止着されて、ボルト受け金物１０が構造材から引き抜かれるのを効果的に防止するようにしてある。
【００６６】
かかるボルト受け金物１０に対応して第二の構造材５０”である柱に備えられるホールダウン金物４０は当該第二の構造材５０”の面に添った板状の取り付け板部４１と、この取り付け板部４１の下端から前方に直角に屈曲して突き出すボルト支持板部４２と、このボルト支持板部４２の両側から下方に垂設され、かつ、後端縁を第二の構造材５０”の面に当接される一対の互いに向き合った補強板部４３、４３とを備えた構成としてあり、ボルト支持板部４２の引き寄せボルト３０の挿通孔４４を設けてある。
【００６７】
かかるホールダウン金物４０は、前記挿通孔４４から挿通される引き寄せボルト３０が前記ボルト受け金物１０の雌ねじ孔１３に螺入しうるように、取り付け板部４１を上方にして縦向きに第二の構造材５０”の側面に該取り付け板部４１を添装状態にして、この取り付け板部７４１の孔から第二の構造材５０”を貫通させたボルト４５に座金４６を介してナット４７を締め付けて、該構造材５０に止着してある。
【００６８】
かかるホールダウン金物４０は、前記取り付け板部４１の挿通孔４４に回転自在に挿通した引き寄せボルト３０を前記ボルト受け金物１０の雌ねじ孔１３に螺入させて、構造材５０、５０相互を引き寄せた際に、破損されない強度を備えたものとして用意される。
【００６９】
このように各構造材５０、５０に備えられるボルト受け金物１０の雌ねじ孔１３に、ホールダウン金物４０のボルト支持板部４２の挿通孔４４から挿通される引き寄せボルト３０螺入して、各構造材５０、５０を引き寄せる。
【００７０】
ここで用いられる引き寄せボルト３０は、図５〜図７において用いられた引き寄せボルトと同様に、各構造材５０、５０の引き寄せによって破損されることがなく、各構造材５０、５０を都合よく引き寄せうる強度を備えたものであって、例えば、Ｍ１２ボルト等を用いることができる。
【００７１】
のように各構造材５０、５０の引き寄せに用いられるボルト受け金物１０及びホールダウン金物４０は、前記羽子板金物２０とボルト受け金物１０とによる構造材５０、５０の引き寄せと同様に、当該ボルト受け金物１０及びホールダウン金物４０の組み付け操作部分以外の壁等に何等影響を与えることなく、各構造材５０、５０を引き寄せることができる。
【００７２】
また、前記羽子板金物２０とボルト受け金物１０による各構造材５０、５０の引き寄せと同様に複数組のボルト受け金物１０及びホールダウン金物４０を用いて第一の構造材５０’と第二の構造材５０”を引き寄せるようにしてもよく、また、起立状態にある第二の構造材５０”の両側にホールダウン金物４０を設け、これを第一の構造材５０’のボルト受け金物１０に引き寄せボルト３０で引き寄せるようにしてあってもよい。
【００７３】
かかる構造材５０、５０の引き寄せは、例えば、図９及び図１０に示されるように基礎７０のアンカーボルト７１が柱位置からずれている場合にも効果的に用いることができる。
【図面の簡単な説明】
【００７４】
【図１】典型的なボルト受け金物の斜視図
【図２】同一部を破断した側面図
【図３】同ボルト受け金物の取り付けの一例を示す断面図
【図４】同他の取付例を示す断面図
【図５】同典型的な一使用態様を示す要部の斜視図
【図６】同一部を破断した要部の側面図
【図７】同一部を破断した要部の平面図
【図８】同ボルト受け金物の更に他の取付例を示す断面図
【図９】同他の典型的な使用態様を示す要部の斜視図
【図１０】同一部を破断した要部の側面図
【符号の説明】
【００７５】
１０  ボルト受け金物
１１  軸部
１２  鍔状頭部
１３  雌ねじ孔
３０  引き寄せボルト
５０  構造材
【図１】
2009035954.tif 000003
【図２】
2009035954.tif 000004
【図３】
2009035954.tif 000005
【図４】
2009035954.tif 000006
【図５】
2009035954.tif 000007
【図６】
2009035954.tif 000008
【図７】
2009035954.tif 000009
【図８】
2009035954.tif 000010
【図９】
2009035954.tif 000011
【図１０】
2009035954.tif 000012